(57)【要約】【課題】時間的ずれの大小にかかわらずディジタル信号の時間的ずれを補正するディジタル信号受信装置を提供することを目的とする。【解決手段】各チャンネルにＦＩＦＯ装置を設け、各ＦＩＦＯ装置がデータの格納を開始したときデータエンプティフラグの解除を行ない、ＦＩＦＯ読取信号生成装置が全てのＦＩＦＯ装置のデータエンプティフラグが解除されたとき、各ＦＩＦＯ装置に同期したＦＩＦＯリード信号を送信する。各ＦＩＦＯ装置はこのＦＩＦＯリード信号受信に同期させて格納したディジタル信号を出力するように構成した。【選択図】図１
2008258762.tif 000002
【特許請求の範囲】
【請求項１】
複数のチャンネルによって送信されるディジタル信号を受信し、前記複数のチャンネルのうち少なくとも二つのチャンネルによって受信したディジタル信号の時間的なずれを補正するディジタル信号受信装置であって、
前記受信したディジタル信号を復号し、受信した信号のデータ部分であるデータ信号と、前記データ信号を同期させる位置を示すコントロール信号と、前記データ信号の開始位置と終了位置を示すデータイネーブル信号と、を生成するデコーダと；
前記チャンネル毎に、前記データ信号と前記コントロール信号を格納し、先入れ先出しにより出力するＦＩＦＯ装置と；を備え、
前記ＦＩＦＯ装置が、
当該のチャンネルの信号の格納を開始し、かつ、
時間的なずれを補正する他の全ての前記チャンネルの前記ＦＩＦＯ装置から信号の格納を開始することを示す信号を検知したとき、
格納した前記データ信号と前記コントロール信号とを先入れ先出しにより出力する、ことを特徴とするディジタル信号受信装置。
【請求項２】
複数のチャンネルによって送信されるディジタル信号を受信し、前記複数のチャンネルのうち少なくとも二つのチャンネルによって受信したディジタル信号の時間的なずれを補正するディジタル信号受信装置であって、
前記受信したディジタル信号を復号し、受信した信号のデータ部分であるデータ信号と、前記データ信号を同期させる位置を示すコントロール信号と、前記データ信号の開始位置と終了位置を示すデータイネーブル信号と、を生成するデコーダと；
前記チャンネル毎に、前記データ信号と前記コントロール信号を格納し、先入れ先出しにより出力するＦＩＦＯ装置と；を備え、
前記ＦＩＦＯ装置が、
当該のチャンネルの信号の格納を開始し、かつ、
時間的なずれを補正する他の全ての前記チャンネルから信号の格納を開始することを示す信号を検知したとき、
格納した前記データ信号と前記コントロール信号とを先入れ先出しにより出力する、ことを特徴とするディジタル信号受信装置。
【請求項３】
複数のチャンネルによって送信されるディジタル信号を受信し、前記複数のチャンネルのうち少なくとも二つのチャンネルによって受信したディジタル信号の時間的なずれを補正するディジタル信号受信装置であって、
前記受信したディジタル信号を復号し、受信した信号のデータ部分であるデータ信号と、前記データ信号を同期させる位置を示すコントロール信号と、前記データ信号の開始位置と終了位置を示すデータイネーブル信号と、を生成するデコーダと、
前記データイネーブル信号からデータの格納の開始を指示するＦＩＦＯライト信号を生成するＦＩＦＯライト信号生成部と、
前記チャンネル毎に、前記ＦＩＦＯライト信号を受信したとき前記データ信号と前記コントロール信号とを格納し、前記格納を開始したときに前記格納の開始を示すデータエンプティフラグの解除を行ない、前記格納したデータの出力を指示するＦＩＦＯリード信号を受信したとき格納した前記データ信号と前記コントロール信号とを先入れ先出しにより出力するＦＩＦＯ装置と、
前記データエンプティフラグが、時間的なずれを補正する全ての前記チャンネルについて解除されたとき、時間的なずれを補正する全ての前記チャンネルの前記ＦＩＦＯ装置に同期した前記ＦＩＦＯリード信号を送信するＦＩＦＯ読取信号生成部と、
を備えるディジタル信号受信装置。
【請求項４】
複数のチャンネルによって送信されるディジタル信号を受信し、前記複数のチャンネルのうち少なくとも二つのチャンネルによって受信したディジタル信号の時間的なずれを補正するディジタル信号受信装置であって、
前記受信したディジタル信号のシリアル信号を前記チャンネル毎にパラレル信号に変換するシリアル／パラレル変換部と、
前記パラレル信号から復号を開始する位置を前記チャンネル毎に判定するアラインメント調整部と、
前記パラレル信号を復号し、受信した信号のデータ部分であるデータ信号と、前記データ信号を同期させる位置を示すコントロール信号と、前記データ信号の開始位置と終了位置を示すデータイネーブル信号と、を生成するデコーダと、
前記データイネーブル信号からデータの格納の開始を指示するＦＩＦＯライト信号を生成するＦＩＦＯライト信号生成部と、
前記チャンネル毎に、前記ＦＩＦＯライト信号を受信したとき前記データ信号と前記コントロール信号とを格納し、前記格納が開始したときに前記格納の開始を示すデータエンプティフラグの解除を行ない、前記格納したデータの出力を指示するＦＩＦＯリード信号により格納した前記データ信号と前記コントロール信号とを先入れ先出しにより出力するＦＩＦＯ装置と、
前記データエンプティフラグが、時間的なずれを補正する全ての前記チャンネルについて解除されたとき、時間的なずれを補正する全ての前記チャンネルの前記ＦＩＦＯ装置に同期した前記ＦＩＦＯリード信号を送信するＦＩＦＯ読取信号生成部と、
を備えるディジタル信号受信装置。
【請求項５】
複数のチャンネルによって送信されるディジタル信号を受信し、前記複数のチャンネルのうち少なくとも二つのチャンネルによって受信したディジタル信号の時間的なずれを補正するディジタル信号受信装置であって、
前記受信したディジタル信号を復号し、受信した信号のデータ部分であるデータ信号と、前記データ信号を同期させる位置を示すコントロール信号と、前記データ信号の開始位置と終了位置を示すデータイネーブル信号と、を生成するデコーダと、
前記チャンネル毎に、前記データイネーブル信号の前記データ信号の開始位置を検知したとき前記データ信号と前記コントロール信号とを格納し、前記格納が開始したときに格納の開始を示すデータエンプティフラグの解除を行ない、前記格納したデータの出力を指示するＦＩＦＯリード信号を受信したとき格納した前記データ信号と前記コントロール信号とを先入れ先出しにより出力するＦＩＦＯ装置と、
前記データエンプティフラグが、時間的なずれを補正する全ての前記チャンネルについて解除されたとき、時間的なずれを補正する全ての前記チャンネルの前記ＦＩＦＯ装置に同期した前記ＦＩＦＯリード信号を送信するＦＩＦＯ読取信号生成部と、
を備えるディジタル信号受信装置。
【請求項６】
複数のチャンネルによって送信されるディジタル信号を受信し、前記複数のチャンネルのうち少なくとも二つのチャンネルによって受信したディジタル信号の時間的なずれを補正するディジタル信号受信装置であって、
前記受信したディジタル信号のシリアル信号を前記チャンネル毎にパラレル信号に変換するシリアル／パラレル変換部と、
前記パラレル信号から復号を開始する位置を前記チャンネル毎に判定するアラインメント調整部と、
前記パラレル信号を復号し、受信した信号のデータ部分であるデータ信号と、前記データ信号を同期させる位置を示すコントロール信号と、前記データ信号の開始位置と終了位置を示すデータイネーブル信号と、を生成するデコーダと、
前記チャンネル毎に、前記データイネーブル信号の前記データ信号の開始位置を検知したとき前記データ信号と前記コントロール信号とを格納し、前記格納が開始したときに前記格納の開始を示すデータエンプティフラグの解除を行ない、前記格納したデータの出力を指示するＦＩＦＯリード信号を受信したとき格納したデータを先入れ先出しにより出力するＦＩＦＯ装置と、
前記データエンプティフラグが、時間的なずれを補正する全ての前記チャンネルについて解除されたとき、時間的なずれを補正する全ての前記チャンネルの前記ＦＩＦＯ装置に同期した前記ＦＩＦＯリード信号を送信するＦＩＦＯ読取信号生成部と、
を備えるディジタル信号受信装置。
【請求項７】
複数のチャンネルによって送信されるディジタル信号を受信し、前記複数のチャンネルのうち少なくとも二つのチャンネルによって受信したディジタル信号の時間的なずれを補正するディジタル信号受信装置であって、
前記受信したディジタル信号を復号し、受信した信号のデータ部分であるデータ信号と、前記データ信号を同期させる位置を示すコントロール信号と、前記データ信号の開始位置と終了位置を示すデータイネーブル信号と、を生成するデコーダと、
前記データイネーブル信号からデータの格納の開始を指示するＦＩＦＯライト信号を生成するＦＩＦＯライト信号生成部と、
前記チャンネル毎に、前記ＦＩＦＯライト信号を受信したとき前記データ信号と前記コントロール信号とを格納し、前記格納を開始したときに前記格納の開始を示すデータエンプティ信号を出力し、前記格納したデータの出力を指示するＦＩＦＯリード信号を受信したとき格納した前記データ信号と前記コントロール信号とを先入れ先出しにより出力するＦＩＦＯ装置と、
前記データエンプティ信号を、時間的なずれを補正する全ての前記チャンネルについて受信したとき、時間的なずれを補正する全ての前記チャンネルの前記ＦＩＦＯ装置に同期した前記ＦＩＦＯリード信号を送信するＦＩＦＯ読取信号生成部と、
を備えるディジタル信号受信装置。
【請求項８】
複数のチャンネルによって送信されるディジタル信号を受信し、前記複数のチャンネルのうち少なくとも二つのチャンネルによって受信したディジタル信号の時間的なずれを補正するディジタル信号受信装置であって、
前記受信したディジタル信号のシリアル信号を前記チャンネル毎にパラレル信号に変換するシリアル／パラレル変換部と、
前記パラレル信号から復号を開始する位置を前記チャンネル毎に判定するアラインメント調整部と、
前記パラレル信号を復号し、受信した信号のデータ部分であるデータ信号と、前記データ信号を同期させる位置を示すコントロール信号と、前記データ信号の開始位置と終了位置を示すデータイネーブル信号と、を生成するデコーダと、
前記データイネーブル信号からデータの格納の開始を指示するＦＩＦＯライト信号を生成するＦＩＦＯライト信号生成部と、
前記チャンネル毎に、前記ＦＩＦＯライト信号を受信したとき前記データ信号と前記コントロール信号とを格納し、前記格納が開始したときに前記格納の開始を示すデータエンプティ信号を出力し、前記格納したデータの出力を指示するＦＩＦＯリード信号により格納した前記データ信号と前記コントロール信号とを先入れ先出しにより出力するＦＩＦＯ装置と、
前記データエンプティ信号を、時間的なずれを補正する全ての前記チャンネルについて受信したとき、時間的なずれを補正する全ての前記チャンネルの前記ＦＩＦＯ装置に同期した前記ＦＩＦＯリード信号を送信するＦＩＦＯ読取信号生成部と、
を備えるディジタル信号受信装置。
【請求項９】
複数のチャンネルによって送信されるディジタル信号を受信し、前記複数のチャンネルのうち少なくとも二つのチャンネルによって受信したディジタル信号の時間的なずれを補正するディジタル信号受信装置であって、
前記受信したディジタル信号を復号し、受信した信号のデータ部分であるデータ信号と、前記データ信号を同期させる位置を示すコントロール信号と、前記データ信号の開始位置と終了位置を示すデータイネーブル信号と、を生成するデコーダと、
前記チャンネル毎に、前記データイネーブル信号の前記データ信号の開始位置を検知したとき前記データ信号と前記コントロール信号とを格納し、前記格納が開始したときに格納の開始を示すデータエンプティ信号を出力し、前記格納したデータの出力を指示するＦＩＦＯリード信号を受信したとき格納した前記データ信号と前記コントロール信号とを先入れ先出しにより出力するＦＩＦＯ装置と、
前記データエンプティ信号を、時間的なずれを補正する全ての前記チャンネルについて受信したとき、時間的なずれを補正する全ての前記チャンネルの前記ＦＩＦＯ装置に同期した前記ＦＩＦＯリード信号を送信するＦＩＦＯ読取信号生成部と、
を備えるディジタル信号受信装置。
【請求項１０】
複数のチャンネルによって送信されるディジタル信号を受信し、前記複数のチャンネルのうち少なくとも二つのチャンネルによって受信したディジタル信号の時間的なずれを補正するディジタル信号受信装置であって、
前記受信したディジタル信号のシリアル信号を前記チャンネル毎にパラレル信号に変換するシリアル／パラレル変換部と、
前記パラレル信号から復号を開始する位置を前記チャンネル毎に判定するアラインメント調整部と、
前記パラレル信号を復号し、受信した信号のデータ部分であるデータ信号と、前記データ信号を同期させる位置を示すコントロール信号と、前記データ信号の開始位置と終了位置を示すデータイネーブル信号と、を生成するデコーダと、
前記チャンネル毎に、前記データイネーブル信号の前記データ信号の開始位置を検知したとき前記データ信号と前記コントロール信号とを格納し、前記格納が開始したときに前記格納の開始を示すデータエンプティ信号を出力し、前記格納したデータの出力を指示するＦＩＦＯリード信号を受信したとき格納したデータを先入れ先出しにより出力するＦＩＦＯ装置と、
前記データエンプティ信号を、時間的なずれを補正する全ての前記チャンネルについて受信したとき、時間的なずれを補正する全ての前記チャンネルの前記ＦＩＦＯ装置に同期した前記ＦＩＦＯリード信号を送信するＦＩＦＯ読取信号生成部と、
を備えるディジタル信号受信装置。
【請求項１１】
複数のチャンネルによって送信されるディジタル信号を受信し、前記複数のチャンネルのうち少なくとも二つのチャンネルによって受信したディジタル信号の時間的なずれを補正するディジタル信号受信装置であって、
前記受信したディジタル信号を復号し、受信した信号のデータ部分であるデータ信号と、前記データ信号を同期させる位置を示すコントロール信号と、前記データ信号の開始位置と終了位置を示すデータイネーブル信号と、を生成するデコーダと、
前記チャンネル毎に、前記データイネーブル信号の前記データ信号の開始位置を検知したとき前記データ信号と前記コントロール信号とを格納し、前記格納したデータの出力を指示するＦＩＦＯリード信号を受信したとき格納した前記データ信号と前記コントロール信号とを先入れ先出しにより出力するＦＩＦＯ装置と、
前記データイネーブル信号の前記データ信号の開始位置を、時間的なずれを補正する全ての前記チャンネルについて検出したとき、時間的なずれを補正する全ての前記チャンネルの前記ＦＩＦＯ装置に同期した前記ＦＩＦＯリード信号を送信するＦＩＦＯ読取信号生成部と、
を備えるディジタル信号受信装置。
【請求項１２】
複数のチャンネルによって送信されるディジタル信号を受信し、前記複数のチャンネルのうち少なくとも二つのチャンネルによって受信したディジタル信号の時間的なずれを補正するディジタル信号受信装置であって、
前記受信したディジタル信号のシリアル信号を前記チャンネル毎にパラレル信号に変換するシリアル／パラレル変換部と、
前記パラレル信号から復号を開始する位置を前記チャンネル毎に判定するアラインメント調整部と、
前記パラレル信号を復号し、受信した信号のデータ部分であるデータ信号と、前記データ信号を同期させる位置を示すコントロール信号と、前記データ信号の開始位置と終了位置を示すデータイネーブル信号と、を生成するデコーダと、
前記チャンネル毎に、前記データイネーブル信号の前記データ信号の開始位置を検知したとき前記データ信号と前記コントロール信号とを格納し、前記格納したデータの出力を指示するＦＩＦＯリード信号を受信したとき格納した前記データ信号と前記コントロール信号とを先入れ先出しにより出力するＦＩＦＯ装置と、
前記データイネーブル信号の前記データ信号の開始位置を、時間的なずれを補正する全ての前記チャンネルについて検出したとき、時間的なずれを補正する全ての前記チャンネルの前記ＦＩＦＯ装置に同期した前記ＦＩＦＯリード信号を送信するＦＩＦＯ読取信号生成部と、
を備えるディジタル信号受信装置。
【請求項１３】
複数のチャンネルによって送信されるディジタル信号を受信し、前記複数のチャンネルのうち少なくとも二つのチャンネルによって受信したディジタル信号の時間的なずれを補正するディジタル信号受信装置であって、
前記受信したディジタル信号を復号し、受信した信号のデータ部分であるデータ信号と、前記データ信号を同期させる位置を示すコントロール信号と、前記データ信号の開始位置と終了位置を示すデータイネーブル信号と、を生成するデコーダと；
前記チャンネル毎に、前記データ信号と前記コントロール信号を格納し、先入れ先出しにより出力するＦＩＦＯ装置と；を備え、
前記ＦＩＦＯ装置が、
前記データイネーブル信号の前記データ信号の開始位置を検知したとき前記データ信号と前記コントロール信号とを格納し、
前記格納を開始したとき時間的なずれを補正する他の全ての前記チャンネルのＦＩＦＯ装置に前記格納を開始したことを示す信号を送信し、
当該のＦＩＦＯ装置が前記格納を開始し、かつ、時間的なずれを補正する他の全ての前記チャンネルの前記ＦＩＦＯ装置から前記格納を開始したことを示す信号を受信したとき、格納した前記データ信号と前記コントロール信号とを先入れ先出しにより出力する、ことを特徴とするディジタル信号受信装置。
【請求項１４】
複数のチャンネルによって送信されるディジタル信号を受信し、前記複数のチャンネルのうち少なくとも二つのチャンネルによって受信したディジタル信号の時間的なずれを補正するディジタル信号受信装置であって、
前記受信したディジタル信号のシリアル信号を前記チャンネル毎にパラレル信号に変換するシリアル／パラレル変換部と；
前記パラレル信号から復号を開始する位置を前記チャンネル毎に判定するアラインメント調整部と；
前記パラレル信号を復号し、受信した信号のデータ部分であるデータ信号と、前記データ信号を同期させる位置を示すコントロール信号と、前記データ信号の開始位置と終了位置を示すデータイネーブル信号と、を生成するデコーダと；
前記チャンネル毎に、前記データ信号と前記コントロール信号を格納し、先入れ先出しにより出力するＦＩＦＯ装置と；を備え、
前記ＦＩＦＯ装置が、
前記データイネーブル信号の前記データ信号の開始位置を検知したとき前記データ信号と前記コントロール信号とを格納し、
前記格納を開始したとき時間的なずれを補正する他の全ての前記チャンネルのＦＩＦＯ装置に前記格納を開始したことを示す信号を送信し、
当該のＦＩＦＯ装置が前記格納を開始し、かつ、時間的なずれを補正する他の全ての前記チャンネルの前記ＦＩＦＯ装置から前記格納を開始したことを示す信号を受信したとき、格納した前記データ信号と前記コントロール信号とを先入れ先出しにより出力する、ことを特徴とするディジタル信号受信装置。
【請求項１５】
前記格納を開始したことを示す信号が、前記データイネーブル信号であることを特徴とする、請求項１３又は請求項１４に記載のディジタル信号受信装置。
【請求項１６】
複数のチャンネルによって送信されるディジタル信号を受信し、前記複数のチャンネルのうち少なくとも二つのチャンネルによって受信したディジタル信号の時間的なずれを補正するディジタル信号受信装置であって、
前記受信したディジタル信号を復号し、受信した信号のデータ部分であるデータ信号と、前記データ信号を同期させる位置を示すコントロール信号と、前記データ信号の開始位置と終了位置を示すデータイネーブル信号と、を生成するデコーダと；
前記チャンネル毎に、前記データ信号と前記コントロール信号を格納し、先入れ先出しにより出力するＦＩＦＯ装置と；を備え、
前記ＦＩＦＯ装置が、
当該のチャンネルから前記データ信号と前記コントロール信号と前記データイネーブル信号とを入力し、
時間的なずれを補正する他の全てのチャンネルから前記データイネーブル信号を入力し、
当該のチャンネルにおける前記データイネーブル信号の前記データ信号の開始位置を検知したとき前記データ信号と前記コントロール信号とを格納し、
当該のチャンネルのＦＩＦＯ装置が前記格納を開始し、かつ、時間的なずれを補正する他の全ての前記チャンネルから受信した前記データイネーブル信号の前記データ信号の開始位置を検知したとき、格納した前記データ信号と前記コントロール信号とを先入れ先出しにより出力する、ことを特徴とするディジタル信号受信装置。
【請求項１７】
複数のチャンネルによって送信されるディジタル信号を受信し、前記複数のチャンネルのうち少なくとも二つのチャンネルによって受信したディジタル信号の時間的なずれを補正するディジタル信号受信装置であって、
前記受信したディジタル信号のシリアル信号を前記チャンネル毎にパラレル信号に変換するシリアル／パラレル変換部と；
前記パラレル信号から復号を開始する位置を前記チャンネル毎に判定するアラインメント調整部と；
前記パラレル信号を復号し、受信した信号のデータ部分であるデータ信号と、前記データ信号を同期させる位置を示すコントロール信号と、前記データ信号の開始位置と終了位置を示すデータイネーブル信号と、を生成するデコーダと；
前記チャンネル毎に、前記データ信号と前記コントロール信号を格納し、先入れ先出しにより出力するＦＩＦＯ装置と；を備え、
前記ＦＩＦＯ装置が、
当該のチャンネルから前記データ信号と前記コントロール信号と前記データイネーブル信号とを入力し、
時間的なずれを補正する他の全てのチャンネルから前記データイネーブル信号を入力し、
当該のチャンネルにおける前記データイネーブル信号の前記データ信号の開始位置を検知したとき前記データ信号と前記コントロール信号とを格納し、
当該のチャンネルのＦＩＦＯ装置が前記格納を開始し、かつ、時間的なずれを補正する他の全ての前記チャンネルから受信した前記データイネーブル信号の前記データ信号の開始位置を検知したとき、格納した前記データ信号と前記コントロール信号とを先入れ先出しにより出力する、ことを特徴とするディジタル信号受信装置。
【請求項１８】
前記ＦＩＦＯ装置が、補正すべき時間的ずれの時間間隔に前記ＦＩＦＯ装置に到達するデータの量を少なくとも格納することを特徴とする、請求項１乃至１７のいずれかに記載のディジタル信号受信装置。
【請求項１９】
前記複数のチャンネルによって送信されるディジタル信号が、映像信号を含むことを特徴とする、請求項1乃至１８のいずれかに記載のディジタル信号受信装置。
【請求項２０】
前記複数のチャンネルによって送信されるディジタル信号が、赤及び青及び緑のそれぞれに対応する映像信号を含むことを特徴とする、請求項1乃至１９のいずれかに記載のディジタル信号受信装置。
【請求項２１】
前記複数のチャンネルによって送信されるディジタル信号が、ＴＭＤＳ（登録商標）プロトコルに準拠した信号であることを特徴とする、請求項1乃至２０のいずれかに記載のディジタル信号受信装置。
【請求項２２】
前記複数のチャンネルによって送信されるディジタル信号が、８ｂｉｔのパラレルデータを１０ｂｉｔのシリアル・データとして転送するプロトコルに準拠した信号であることを特徴とする、請求項１乃至２１のいずれかに記載のディジタル信号受信装置。
【発明の詳細な説明】
【技術分野】
【０００１】
本発明は、複数チャンネルにて送信されるディジタル信号の時間的ずれを補正するディジタル信号受信装置に関する。
【背景技術】
【０００２】
ディジタル信号の通信速度を速める目的やディジタル映像信号を送信する目的で、複数のチャンネルを使用してディジタル信号を送受信する方式が従来から開発されている。例えば、ＤＶＩ（Ｄｉｇｉｔａｌ  Ｖｉｓｕａｌ  Ｉｎｔｅｒｆａｃｅ）やＨＤＭＩ（登録商標、Ｈｉｇｈ−Ｄｅｆｉｎｉｔｉｏｎ  Ｍｕｌｔｉｍｅｄｉａ  Ｉｎｔｅｒｆａｃｅ）などのディジタル映像信号の伝送方式に採用されているＴＭＤＳ（登録商標（以下同じ）、Ｔｒａｎｓｉｒｉｏｎ  Ｍｉｎｉｍｉｚｅｄ  Dｉｆｆｅｒｅｎｔｉａｌ  Ｓｉｇｎａｌｉｎｇ）においては、１チャンネルのクロック信号と、３チャンネルのディジタル映像信号の伝送チャンネルのプロトコルが規定されており、これに基づいて視聴覚機器が開発されている。
【０００３】
また、映像信号以外においても、例えば８ｂ／１０ｂ変換を行なうディジタル信号の伝送方式のうち、ＰＣＩ  Ｅｘｐｒｅｓｓ、Ｆｉｂｅｒ  Ｃｈａｎｎｅｌ、ＸＵＴ等の方式においても複数のシリアル伝送チャンネルを用いたディジタル信号の送受信が行なわれている。
【０００４】
しかし、送信側の回路構成などにより、各チャンネルにて送信される信号に時間的なずれ（スキュー）が生じることがある。このような場合、例えばディジタル映像信号の受信装置においてはディスプレイに表示する映像に歪みが生じるという問題点があった。
【０００５】
この点に関し、各チャンネルの受信信号に遅延を生じさせる回路を設けた装置が提案されている。例えば、特許文献１には、ディジタル映像信号の受信装置において、各チャンネルに所定のクロック分だけ遅延させる回路を設け、遅延したチャンネルについては通常の回路を、遅延しなかったチャンネルについて遅延回路を選択して同期を取るディジタル信号受信装置が提案されている。
【特許文献１】特開２００４−１６５７７２号公報
【発明の開示】
【発明が解決しようとする課題】
【０００６】
しかし、特許文献１に記載の装置によっては、各チャンネル間の遅延が所定のクロック分であるときだけしか補正できないと言う問題点があった。
【０００７】
本発明は上記のような問題点に鑑みてなされたものであり、時間的ずれの大小にかかわらずディジタル信号の時間的ずれを補正するディジタル信号受信装置を提供することを目的とする。
【課題を解決するための手段】
【０００８】
この目的を達成するために本発明は、複数のチャンネルによって送信されるディジタル信号を受信し、複数のチャンネルのうち少なくとも二つのチャンネルによって受信したディジタル信号の時間的なずれを補正するディジタル信号受信装置であって、受信したディジタル信号を復号し、受信した信号のデータ部分であるデータ信号と、データ信号を同期させる位置を示すコントロール信号と、データ信号の開始位置と終了位置を示すデータイネーブル信号と、を生成するデコーダと；チャンネル毎に、データ信号とコントロール信号を格納し、先入れ先出しにより出力するＦＩＦＯ装置と；を備え、ＦＩＦＯ装置が、当該のチャンネルの信号の格納を開始し、かつ、時間的なずれを補正する他の全てのチャンネルのＦＩＦＯ装置から信号の格納を開始することを示す信号を検知したとき、格納したデータ信号とコントロール信号とを先入れ先出しにより出力する、ことを特徴とするディジタル信号受信装置を提供する。
【０００９】
また、本発明は、複数のチャンネルによって送信されるディジタル信号を受信し、複数のチャンネルのうち少なくとも二つのチャンネルによって受信したディジタル信号の時間的なずれを補正するディジタル信号受信装置であって、受信したディジタル信号を復号し、受信した信号のデータ部分であるデータ信号と、データ信号を同期させる位置を示すコントロール信号と、データ信号の開始位置と終了位置を示すデータイネーブル信号と、を生成するデコーダと、データイネーブル信号からデータの格納の開始を指示するＦＩＦＯライト信号を生成するＦＩＦＯライト信号生成部と、チャンネル毎に、ＦＩＦＯライト信号を受信したときデータ信号とコントロール信号とを格納し、格納を開始したときに格納の開始を示すデータエンプティフラグの解除を行ない、格納したデータの出力を指示するＦＩＦＯリード信号を受信したとき格納したデータ信号とコントロール信号とを先入れ先出しにより出力するＦＩＦＯ装置と、データエンプティフラグが、時間的なずれを補正する全てのチャンネルについて解除されたとき、時間的なずれを補正する全てのチャンネルのＦＩＦＯ装置に同期したＦＩＦＯリード信号を送信するＦＩＦＯ読取信号生成部と、を備えるディジタル信号受信装置を提供する。
【発明の効果】
【００１０】
本発明によれば、例えば、各チャンネルにＦＩＦＯ装置を設け、各ＦＩＦＯ装置がデータの格納を開始したときデータエンプティフラグの解除を行ない、ＦＩＦＯ読取信号生成装置が全てのＦＩＦＯ装置のデータエンプティフラグが解除されたとき、各ＦＩＦＯ装置に同期したＦＩＦＯリード信号を送信する。各ＦＩＦＯ装置はこのＦＩＦＯリード信号受信に同期させて格納したディジタル信号を出力するように構成した。このため、ディジタル信号の時間的ずれの大小にかかわらず、時間的ずれを補正することが可能となるという効果がある。
【発明を実施するための最良の形態】
【００１１】
以下、本発明によるディジタル信号受信装置の一実施の形態について、図面を用いて詳細に説明する。
【００１２】
＜第1の実施形態＞
以下、本実施形態のディジタル信号受信装置をディジタル映像信号の受信機器に応用した例を用いて説明する。
【００１３】
＜受信装置の配置例＞
図１０は、本実施形態のディジタル信号受信装置の配置例を示した図である。送信装置３０は映像信号をグラフィックコントローラ３２において生成し、送信装置３１においてクロックとＲ（赤）、Ｇ（緑）、Ｂ（青）の映像信号を送信する４つのチャンネルを経由して受信機器３３に送信する。
【００１４】
受信機器３３においては、本実施形態のディジタル信号受信装置１がディジタル信号を受信して時間的ずれを補正した後、メモリコントローラ３４、フレームメモリ３５、フレーム読出し回路３６を経て、映像がディスプレイ３７に表示される。
【００１５】
＜ディジタル信号受信装置の構成＞
図１は、本実施形態のディジタル信号受信装置１の構成を模式的に表した図である。
【００１６】
＜チャンネルからデコーダまでの構成＞
本実施形態のディジタル信号受信装置１は、クロックを受信するクロックチャンネル１０と、Ｒ，Ｇ，Ｂの映像信号のディジタル信号を伝送するチャンネル１（１２ａ）、チャンネル２（１２ｂ）、チャンネル３（１２ｃ）と、からディジタル信号を受信する。
【００１７】
クロックチャンネル１０はクロックをＰＬＬ（Ｐｈａｓｅ  Ｌｏｃｋｅｄ  Ｌｏｏｐ）１１に入力し、ＰＬＬ１１は入力クロックの１倍クロックである×１クロック１１ａと、入力クロックの１０倍クロックである×１０クロック１１ｂとを生成する。
【００１８】
チャンネル１（１２ａ）、チャンネル２（１２ｂ）、チャンネル３（１２ｃ）は、それぞれシリアル／パラレル変換部１３ａ，１３ｂ，１３ｃに入力する。各シリアル／パラレル変換部１３ａ，１３ｂ，１３ｃは、ＰＬＬ１１から入力した×１０クロック１１ｂを用いて入力したシリアル信号をパラレル信号に変換し、それぞれアラインメント調整部１４ａ，１４ｂ，１４ｃに出力する。
【００１９】
各アラインメント調整部１４ａ，１４ｂ，１４ｃは、ＰＬＬ１１から入力した×１クロック１１ａを用いて入力したパラレル信号を所定の長さだけ読み込み、この一連のパラレル信号の列から復号を開始する位置を判定する。これは、例えば制御信号のパターンを一連のパラレル信号の列から検索することにより行なわれる。
【００２０】
復号開始位置が判定された場合、各アラインメント調整部１４ａ，１４ｂ，１４ｃは一連のパラレル信号の列の復号開始位置から所定のデータ長、例えば１０ｂずつそれぞれデコーダ１５ａ，１５ｂ，１５ｃに出力する。
【００２１】
各デコーダ１５ａ，１５ｂ，１５ｃは、ＰＬＬ１１から入力した×１クロック１１ａを用いて、各アラインメント調整部１４ａ，１４ｂ，１４ｃから入力した信号から、受信した信号のデータ部分、すなわち映像データ部分であるデータ信号１５ａＤＴ，１５ｂＤＴ，１５ｃＤＴと、このデータ信号を同期させる位置を示すコントロール信号１５ａＣＮＴ，１５ｂＣＮＴ，１５ｃＣＮＴと、このデータ信号の開始位置と終了位置を示すデータイネーブル信号１５ａＥＮＢ，１５ｂＥＮＢ，１５ｃＥＮＢと、を生成する。
【００２２】
これらの信号の生成は、送信装置３１が送信データの生成に準拠したプロトコル、例えばＴＭＤＳに基づいて行なわれる。
【００２３】
＜ＦＩＦＯ装置周辺の構成＞
＜ＦＩＦＯ装置の構成＞
本実施形態のディジタル信号受信装置は、各チャンネル１（１２ａ）、チャンネル２（１２ｂ）、チャンネル３（１２ｃ）の下流にＦＩＦＯ装置１７ａ，１７ｂ，１７ｃを有する。このＦＩＦＯ装置１７ａ，１７ｂ，１７ｃは、いわゆるＦＩＦＯ（Ｆｉｒｓｔ  Ｉｎ，  Ｆｉｒｓｔ  Ｏｕｔ、先入れ先出し）の機能を有する。すなわち、データを格納する機能を有し、読出し命令を受信すると、先に格納したデータから先に出力する。
【００２４】
ＦＩＦＯ装置１７ａ，１７ｂ，１７ｃは、例えばＲＡＭなどのメモリとＦＩＦＯの動作を記述したプログラムを格納したメモリと、このプログラムを実行するプロセッサとを備える。また、例えばＦＰＧＡ（Ｆｉｅｌｄ  Ｐｒｏｇｒａｍｍａｂｌｅ  Ｇａｔｅ  Ａｒｒａｙ）などのプログラム可能なＬＳＩを用いて構成することもできる。
【００２５】
従って、任意にメモリ領域を割り当てたり、定められた条件を満たすときに特定のフラグを更新したり、信号を出力したりするように構成することが可能である。
【００２６】
さらに、格納するデータの大きさ、すなわちＦＩＦＯの深さも任意に設定できる。本実施形態においては、各ＦＩＦＯ装置１７ａ，１７ｂ，１７ｃのＦＩＦＯの深さは補正すべき時間的ずれの時間間隔に各ＦＩＦＯ装置１７ａ，１７ｂ，１７ｃに到達するそれぞれのデータの量を少なくとも格納する大きさを有する。すなわち、補正すべき時間的ずれの時間間隔とは、いずれかのＦＩＦＯ装置において最も早く信号の格納が開始された時点から、各ＦＩＦＯ装置１７ａ，１７ｂ，１７ｃから信号が出力される時点までの時間の間隔を意味し、各ＦＩＦＯ装置１７ａ，１７ｂ，１７ｃはこの時間間隔に最も早く格納を開始したＦＩＦＯ装置に到達する信号をすべて格納するために必要な深さを少なくとも有する。
【００２７】
この深さは、例えばＴＭＤＳにおいては信号の時間的ずれ（スキュー）の許容範囲が０．４ピクセル以下と定められているため、この値からかけ離れてスキューが生じることはない。従って、このプロトコルに準拠した受信機器に本実施形態のディジタル信号受信装置１を用いる場合には、例えば３ピクセル、すなわち３０バイトの深さを各ＦＩＦＯ装置１７ａ，１７ｂ，１７ｃが有していれば、スキューの大きさにかかわらず補正が可能となる。
【００２８】
＜ＦＩＦＯ装置におけるスキューの補正＞
データ信号１５ａＤＴ，１５ｂＤＴ，１５ｃＤＴと、コントロール信号１５ａＣＮＴ，１５ｂＣＮＴ，１５ｃＣＮＴと、データイネーブル信号１５ａＥＮＢ，１５ｂＥＮＢ，１５ｃＥＮＢは、各デコーダ１５ａ，１５ｂ，１５ｃからそれぞれＦＩＦＯ装置１７ａ，１７ｂ，１７ｃに出力される。
【００２９】
また、データイネーブル信号１５ａＥＮＢ，１５ｂＥＮＢ，１５ｃＥＮＢは、それぞれＦＩＦＯライト信号生成部１６ａ，１６ｂ，１６ｃにも出力される。
【００３０】
ＦＩＦＯライト信号生成部１６ａ，１６ｂ，１６ｃは、入力したデータイネーブル信号１５ａＥＮＢ，１５ｂＥＮＢ，１５ｃＥＮＢから、ＦＩＦＯ装置１７ａ，１７ｂ，１７ｃに入力したデータの格納の開始を指示するＦＩＦＯライト信号１６ａＷ，１６ｂＷ，１６ｃＷを生成する。
【００３１】
このＦＩＦＯライト信号１６ａＷ，１６ｂＷ，１６ｃＷは、データ信号１５ａＤＴ，１５ｂＤＴ，１５ｃＤＴの開始位置と同期して立ち上がり、そのままＯＮの状態を維持するように生成され、それぞれＦＩＦＯ装置１７ａ，１７ｂ，１７ｃに出力される。
【００３２】
各ＦＩＦＯ装置１７ａ，１７ｂ，１７ｃは、ＦＩＦＯライト信号１６ａＷ，１６ｂＷ，１６ｃＷのＯＮの状態を検出すると、入力したデータ信号１５ａＤＴ，１５ｂＤＴ，１５ｃＤＴと、コントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢの格納を開始する。
【００３３】
ここで、各ＦＩＦＯ装置１７ａ，１７ｂ，１７ｃに各ＦＩＦＯライト信号１６ａＷ，１６ｂＷ，１６ｃＷが到達するまで、データ信号１５ａＤＴ，１５ｂＤＴ，１５ｃＤＴと、コントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢの格納を遅延させる回路を設けてもよい。
【００３４】
各ＦＩＦＯ装置１７ａ，１７ｂ，１７ｃは、格納を開始したときにこの格納の開始を示すデータエンプティフラグの解除を行なう。例えば、各ＦＩＦＯ装置１７ａ，１７ｂ，１７ｃのメモリに設けられたフラグが、格納を開始する前は「０」であるところを格納が開始されたときに「１」に更新する。
【００３５】
各ＦＩＦＯ装置１７ａ，１７ｂ，１７ｃの下流には読取信号生成装置１８が設けられる。このＦＩＦＯ読取信号生成装置１８は、例えばＦＰＧＡ（Ｆｉｅｌｄ  Ｐｒｏｇｒａｍｍａｂｌｅ  Ｇａｔｅ  Ａｒｒａｙ）などのプログラム可能なＬＳＩを用いて構成され、次のような動作を行なう。
【００３６】
ＦＩＦＯ読取信号生成装置１８は一定時間間隔にて各ＦＩＦＯ装置１７ａ，１７ｂ，１７ｃのデータエンプティフラグを確認する。いずれかのＦＩＦＯ装置１７ａ，１７ｂ，１７ｃのデータエンプティフラグが「０」、すなわちいずれかのＦＩＦＯ装置１７ａ，１７ｂ，１７ｃが各信号の格納を開始していない場合、ＦＩＦＯ読取信号生成装置１８は一定時間間隔にて各ＦＩＦＯ装置１７ａ，１７ｂ，１７ｃのデータエンプティフラグの確認を続ける。
【００３７】
全てのＦＩＦＯ装置１７ａ，１７ｂ，１７ｃのデータエンプティフラグが「１」、すなわち全てのＦＩＦＯ装置１７ａ，１７ｂ，１７ｃが各信号の格納を開始した場合、ＦＩＦＯ読取信号生成装置１８は各ＦＩＦＯ装置１７ａ，１７ｂ，１７ｃに、同期したＦＩＦＯリード信号１８Ｒを送信する。
【００３８】
各ＦＩＦＯ装置１７ａ，１７ｂ，１７ｃは、ＦＩＦＯ読取信号生成装置１８からＦＩＦＯリード信号１８Ｒを受信すると、格納していたデータ信号１５ａＤＴ，１５ｂＤＴ，１５ｃＤＴと、コントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢを出力する。
【００３９】
ＦＩＦＯリード信号１８Ｒが同期しているため、各ＦＩＦＯ装置１７ａ，１７ｂ，１７ｃからは同期した、すなわち各信号の時間的なずれが補正された信号が出力される。
【００４０】
＜タイミングチャートによる説明＞
以上説明した本実施形態のディジタル信号受信装置１におけるディジタル信号の時間的なずれの補正を、タイミングチャートにより説明する。
【００４１】
図２は、本実施形態の各デコーダ１５ａ，１５ｂ，１５ｃより下流の信号の状態を模式的に表したタイミングチャートである。説明のため、データ信号とコントロール信号を並べて記載する。
【００４２】
×１クロック１１ａに同期して、各チャンネル（Ｃｈ１，Ｃｈ２，Ｃｈ３）に対応したデコーダ１５ａ，１５ｂ，１５ｃからデータ信号とコントロール信号（映像データコントロール信号、１５ａＤＴ，１５ａＣＮＴ、１５ｂＤＴ，１５ｂＣＮＴ、１５ｃＤＴ，１５ｃＣＮＴ）が出力される。図２において、ＳＹＮＣは、例えばＨ−Ｓｙｎｃ、Ｖ−Ｓｙｎｃなどのコントロール信号を、Ｄ０〜Ｄｎはデータ信号を示す。
【００４３】
各デコーダ１５ａ，１５ｂ，１５ｃからは、データイネーブル信号１５ａＥＮＢ，１５ｂＥＮＢ，１５ｃＥＮＢも出力される。このデータイネーブル信号１５ａＥＮＢ，１５ｂＥＮＢ，１５ｃＥＮＢは、それぞれデータ信号１５ａＤＴ，１５ｂＤＴ，１５ｃＤＴの開始位置に同期して立ち上がり、終了位置に同期して立ち下がる。
【００４４】
図２に示したように、例えば各デコーダ１５ａ，１５ｂ，１５ｃから出力されたデータ信号の開始位置Ｄ０は、Ｃｈ１からＣｈ３の順でそれぞれ１ピクセルずつ時間的にずれている。
【００４５】
ＦＩＦＯライト信号１６ａＷ，１６ｂＷ，１６ｃＷは、データ信号１５ａＤＴ，１５ｂＤＴ，１５ｃＤＴの開始位置と同期して立ち上がり、そのままＯＮの状態を維持する。各ＦＩＦＯ装置１７ａ，１７ｂ，１７ｃは、ＦＩＦＯライト信号１６ａＷ，１６ｂＷ，１６ｃＷのＯＮの状態を検出すると、各信号の格納を開始する。
【００４６】
各ＦＩＦＯ装置１７ａ，１７ｂ，１７ｃは、格納を開始したときにこの格納の開始を示すデータエンプティフラグ１７ａＥＦ，１７ｂＥＦ，１７ｃＥＦの解除を行なう。
【００４７】
ＦＩＦＯ読取信号生成装置１８は全てのＦＩＦＯ装置１７ａ，１７ｂ，１７ｃのデータエンプティフラグ１７ａＥＦ，１７ｂＥＦ，１７ｃＥＦが解除されたことを検出すると、×１クロック１１ａに同期させてＦＩＦＯリード信号１８Ｒを各ＦＩＦＯ装置１７ａ，１７ｂ，１７ｃに出力する。
【００４８】
各ＦＩＦＯ装置１７ａ，１７ｂ，１７ｃは、ＦＩＦＯ読取信号生成装置１８からＦＩＦＯリード信号１８Ｒを受信すると、格納していたデータ信号１５ａＤＴ，１５ｂＤＴ，１５ｃＤＴと、コントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢを出力する。
【００４９】
図２の最下段の３列に示すように、ＦＩＦＯリード信号１８Ｒが同期しているため、各ＦＩＦＯ装置１７ａ，１７ｂ，１７ｃからは同期した信号が出力される。
【００５０】
＜本実施形態の効果＞
以上述べたように、本実施形態のディジタル信号受信装置１においては、各チャンネルのデコーダの下流にＦＩＦＯ装置１７ａ，１７ｂ，１７ｃを設け、全てのＦＩＦＯ装置１７ａ，１７ｂ，１７ｃがデータの格納を開始したとき、各ＦＩＦＯ装置１７ａ，１７ｂ，１７ｃが同期したＦＩＦＯリード信号１８Ｒを受信し、このＦＩＦＯリード信号１８Ｒに同期させて格納したディジタル信号を出力するように構成した。このため、ディジタル信号の時間的ずれの大小にかかわらず、時間的ずれを補正することが可能となるという効果がある。
【００５１】
また、ＦＩＦＯライト信号生成部１６ａ，１６ｂ，１６ｃ、ＦＩＦＯ装置１７ａ，１７ｂ，１７ｃ、ＦＩＦＯ読取信号生成装置１８は、それぞれ安価かつ容易に構成することができるため、ディジタル信号受信装置１を設置する装置の製造コストの上昇を抑えることができると言う効果がある。
【００５２】
＜第２の実施形態＞
以下、図３を用いて本実施形態のディジタル信号受信装置をディジタル映像信号の受信機器に応用した例を用いて説明する。
【００５３】
本実施形態のディジタル信号受信装置は、ＦＩＦＯライト信号生成部を有さず、各ＦＩＦＯ装置がデータイネーブル信号のデータ信号の開始位置を検知したときデータ信号とコントロール信号とを格納することを特徴とする。
【００５４】
＜受信装置の配置例＞
本実施形態のディジタル信号受信装置の配置例は、第１の実施形態と同様である。
【００５５】
＜ディジタル信号受信装置の構成＞
本実施形態のディジタル信号受信装置１の構成を説明する。
【００５６】
＜チャンネルからデコーダまでの構成＞
本実施形態のディジタル信号受信装置１のチャンネルからデコーダまでの構成は第１の実施形態と同様である。
【００５７】
＜ＦＩＦＯ装置周辺の構成＞
＜ＦＩＦＯ装置の構成＞
本実施形態のディジタル信号受信装置１のＦＩＦＯ装置の構成は第１の実施形態と同様である。
【００５８】
＜ＦＩＦＯ装置におけるスキューの補正＞
データ信号１５ａＤＴ，１５ｂＤＴ，１５ｃＤＴと、コントロール信号１５ａＣＮＴ，１５ｂＣＮＴ，１５ｃＣＮＴと、データイネーブル信号１５ａＥＮＢ，１５ｂＥＮＢ，１５ｃＥＮＢは、各デコーダ１５ａ，１５ｂ，１５ｃからそれぞれＦＩＦＯ装置１７ａ，１７ｂ，１７ｃに出力される。
【００５９】
各ＦＩＦＯ装置１７ａ，１７ｂ，１７ｃは、データイネーブル信号１５ａＥＮＢ，１５ｂＥＮＢ，１５ｃＥＮＢのデータ信号１５ａＤＴ，１５ｂＤＴ，１５ｃＤＴの開始位置を検知したときデータ信号１５ａＤＴ，１５ｂＤＴ，１５ｃＤＴとコントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢの格納を開始する。
【００６０】
上述のように、例えばＴＭＤＳにおいては信号の時間的ずれ（スキュー）の許容範囲が０．４ピクセル以下と定められているため、この値からかけ離れてスキューが生じることはない。従って、最も遅延したチャンネルのデータイネーブル信号のデータ信号の開始位置が、最先のチャンネルのデータイネーブル信号の次のデータ信号の開始位置まで遅れることはない。このため、データイネーブル信号１５ａＥＮＢ，１５ｂＥＮＢ，１５ｃＥＮＢのデータ信号１５ａＤＴ，１５ｂＤＴ，１５ｃＤＴの開始位置を検知して格納するように構成しても、スキューを補正することができる。
【００６１】
ここで、各ＦＩＦＯ装置１７ａ，１７ｂ，１７ｃに各データイネーブル信号１５ａＥＮＢ，１５ｂＥＮＢ，１５ｃＥＮＢが到達してから格納を開始するまで、データ信号１５ａＤＴ，１５ｂＤＴ，１５ｃＤＴと、コントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢの格納を遅延させる回路を設けてもよい。
【００６２】
各ＦＩＦＯ装置１７ａ，１７ｂ，１７ｃは、格納を開始したときにこの格納の開始を示すデータエンプティフラグの解除を行なう。例えば、各ＦＩＦＯ装置１７ａ，１７ｂ，１７ｃのメモリに設けられたフラグが、格納を開始する前は「０」であるところを格納が開始されたときに「１」に更新する。
【００６３】
各ＦＩＦＯ装置１７ａ，１７ｂ，１７ｃの下流には読取信号生成装置１８が設けられる。この読取信号生成装置１８は、例えばＦＰＧＡ（Ｆｉｅｌｄ  Ｐｒｏｇｒａｍｍａｂｌｅ  Ｇａｔｅ  Ａｒｒａｙ）などのプログラム可能なＬＳＩを用いて構成され、次のような動作を行なう。
【００６４】
ＦＩＦＯ読取信号生成装置１８は一定時間間隔にて各ＦＩＦＯ装置１７ａ，１７ｂ，１７ｃのデータエンプティフラグを確認する。いずれかのＦＩＦＯ装置１７ａ，１７ｂ，１７ｃのデータエンプティフラグが「０」、すなわちいずれかのＦＩＦＯ装置１７ａ，１７ｂ，１７ｃが各信号の格納を開始していない場合、ＦＩＦＯ読取信号生成装置１８は一定時間間隔にて各ＦＩＦＯ装置１７ａ，１７ｂ，１７ｃのデータエンプティフラグの確認を続ける。
【００６５】
全てのＦＩＦＯ装置１７ａ，１７ｂ，１７ｃのデータエンプティフラグが「１」、すなわち全てのＦＩＦＯ装置１７ａ，１７ｂ，１７ｃが各信号の格納を開始した場合、ＦＩＦＯ読取信号生成装置１８は各ＦＩＦＯ装置１７ａ，１７ｂ，１７ｃに、同期したＦＩＦＯリード信号１８Ｒを送信する。
【００６６】
各ＦＩＦＯ装置１７ａ，１７ｂ，１７ｃは、ＦＩＦＯ読取信号生成装置１８からＦＩＦＯリード信号１８Ｒを受信すると、格納していたデータ信号１５ａＤＴ，１５ｂＤＴ，１５ｃＤＴと、コントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢを出力する。
【００６７】
ＦＩＦＯリード信号１８Ｒが同期しているため、各ＦＩＦＯ装置１７ａ，１７ｂ，１７ｃからは同期した、すなわち各信号の時間的なずれが補正された信号が出力される。
【００６８】
＜タイミングチャートによる説明＞
以上説明した本実施形態のディジタル信号受信装置１におけるディジタル信号の時間的なずれの補正を、タイミングチャートにより説明する。
【００６９】
図４は、本実施形態の各デコーダ１５ａ，１５ｂ，１５ｃより下流の信号の状態を模式的に表した図である。説明のため、データ信号とコントロール信号を並べて記載する。
【００７０】
×１クロック１１ａに同期して、各チャンネル（Ｃｈ１，Ｃｈ２，Ｃｈ３）に対応したデコーダ１５ａ，１５ｂ，１５ｃからデータ信号とコントロール信号（映像データコントロール信号、１５ａＤＴ，１５ａＣＮＴ、１５ｂＤＴ，１５ｂＣＮＴ、１５ｃＤＴ，１５ｃＣＮＴ）が出力される。図４において、ＳＹＮＣは、例えばＨ−Ｓｙｎｃ、Ｖ−Ｓｙｎｃなどのコントロール信号を、Ｄ０〜Ｄｎはデータ信号を示す。
【００７１】
各デコーダ１５ａ，１５ｂ，１５ｃからは、データイネーブル信号１５ａＥＮＢ，１５ｂＥＮＢ，１５ｃＥＮＢも出力される。このデータイネーブル信号１５ａＥＮＢ，１５ｂＥＮＢ，１５ｃＥＮＢは、それぞれデータ信号１５ａＤＴ，１５ｂＤＴ，１５ｃＤＴの開始位置に同期して立ち上がり、終了位置に同期して立ち下がる。
【００７２】
図４に示したように、例えば各デコーダ１５ａ，１５ｂ，１５ｃから出力されたデータ信号の開始位置Ｄ０は、Ｃｈ１からＣｈ３の順でそれぞれ１ピクセルずつ時間的にずれている。
【００７３】
各ＦＩＦＯ装置１７ａ，１７ｂ，１７ｃは、データイネーブル信号１５ａＥＮＢ，１５ｂＥＮＢ，１５ｃＥＮＢのデータ信号１５ａＤＴ，１５ｂＤＴ，１５ｃＤＴの開始位置を検知したときデータ信号１５ａＤＴ，１５ｂＤＴ，１５ｃＤＴとコントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢの格納を開始する。
【００７４】
この格納開始のタイミングを、図４においてはＣｈ１ＦＩＦＯライト開始タイミング、Ｃｈ２ＦＩＦＯライト開始タイミング、Ｃｈ３ＦＩＦＯライト開始タイミングとして示した。
【００７５】
各ＦＩＦＯ装置１７ａ，１７ｂ，１７ｃは、格納を開始したときにこの格納の開始を示すデータエンプティフラグ１７ａＥＦ，１７ｂＥＦ，１７ｃＥＦの解除を行なう。
【００７６】
ＦＩＦＯ読取信号生成装置１８は全てのＦＩＦＯ装置１７ａ，１７ｂ，１７ｃのデータエンプティフラグ１７ａＥＦ，１７ｂＥＦ，１７ｃＥＦが解除されたことを検出すると、×１クロック１１ａに同期させてＦＩＦＯリード信号１８Ｒを各ＦＩＦＯ装置１７ａ，１７ｂ，１７ｃに出力する。
【００７７】
各ＦＩＦＯ装置１７ａ，１７ｂ，１７ｃは、ＦＩＦＯ読取信号生成装置１８からＦＩＦＯリード信号１８Ｒを受信すると、格納していたデータ信号１５ａＤＴ，１５ｂＤＴ，１５ｃＤＴと、コントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢを出力する。
【００７８】
図４の最下段の３列に示すように、ＦＩＦＯリード信号１８Ｒが同期しているため、各ＦＩＦＯ装置１７ａ，１７ｂ，１７ｃからは同期した信号が出力される。
【００７９】
＜本実施形態の効果＞
以上述べたように、本実施形態のディジタル信号受信装置１は、ＦＩＦＯライト信号生成部を有せず、各ＦＩＦＯ装置１７ａ，１７ｂ，１７ｃがデータイネーブル信号１５ａＥＮＢ，１５ｂＥＮＢ，１５ｃＥＮＢのデータ信号１５ａＤＴ，１５ｂＤＴ，１５ｃＤＴの開始位置を検知したときデータ信号１５ａＤＴ，１５ｂＤＴ，１５ｃＤＴとコントロール信号１５ａＣＮＴ，１５ｂＣＮＴ，１５ｃＣＮＴとを格納するように構成した。このため、ディジタル信号受信装置１をさらに安価に製造することが可能となり、本実施形態のディジタル信号受信装置１を設置する装置の製造コストの上昇を抑えることができると言う効果がある。
【００８０】
＜第３の実施形態＞
以下、本実施形態のディジタル信号受信装置をディジタル映像信号の受信機器に応用した例を用いて説明する。
【００８１】
本実施形態のディジタル信号受信装置は、各ＦＩＦＯ装置がデータ信号とコントロール信号の格納を開始したときに、この格納の開始を示すデータエンプティフラグの解除を行なわず、この格納の開始を示すデータエンプティ信号をＦＩＦＯ読取信号生成部に出力することを特徴とする。
【００８２】
本実施形態は、第１の実施形態にも第２の実施形態にも応用することができる。以下、第２の実施形態に応用した例を用いて説明する。
【００８３】
＜受信装置の配置例＞
本実施形態のディジタル信号受信装置の配置例は、第１の実施形態と同様である。
【００８４】
＜ディジタル信号受信装置の構成＞
本実施形態のディジタル信号受信装置１の構成を説明する。
【００８５】
＜チャンネルからデコーダまでの構成＞
本実施形態のディジタル信号受信装置１のチャンネルからデコーダまでの構成は第１の実施形態と同様である。
【００８６】
＜ＦＩＦＯ装置周辺の構成＞
＜ＦＩＦＯ装置の構成＞
本実施形態のディジタル信号受信装置１のＦＩＦＯ装置の構成は第１の実施形態と同様である。
【００８７】
＜ＦＩＦＯ装置におけるスキューの補正＞
データ信号１５ａＤＴ，１５ｂＤＴ，１５ｃＤＴと、コントロール信号１５ａＣＮＴ，１５ｂＣＮＴ，１５ｃＣＮＴと、データイネーブル信号１５ａＥＮＢ，１５ｂＥＮＢ，１５ｃＥＮＢは、各デコーダ１５ａ，１５ｂ，１５ｃからそれぞれＦＩＦＯ装置１７ａ，１７ｂ，１７ｃに出力される。
【００８８】
各ＦＩＦＯ装置１７ａ，１７ｂ，１７ｃは、データイネーブル信号１５ａＥＮＢ，１５ｂＥＮＢ，１５ｃＥＮＢのデータ信号１５ａＤＴ，１５ｂＤＴ，１５ｃＤＴの開始位置を検知したときデータ信号１５ａＤＴ，１５ｂＤＴ，１５ｃＤＴとコントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢの格納を開始する。
【００８９】
上述のように、例えばＴＭＤＳにおいては信号の時間的ずれ（スキュー）の許容範囲が０．４ピクセル以下と定められているため、この値からかけ離れてスキューが生じることはない。従って、最も遅延したチャンネルのデータイネーブル信号のデータ信号の開始位置が、最先のチャンネルのデータイネーブル信号の次のデータ信号の開始位置まで遅れることはない。このため、データイネーブル信号１５ａＥＮＢ，１５ｂＥＮＢ，１５ｃＥＮＢのデータ信号１５ａＤＴ，１５ｂＤＴ，１５ｃＤＴの開始位置を検知して格納するように構成しても、スキューを補正することができる。
【００９０】
ここで、各ＦＩＦＯ装置１７ａ，１７ｂ，１７ｃに各データイネーブル信号１５ａＥＮＢ，１５ｂＥＮＢ，１５ｃＥＮＢが到達してから格納を開始するまで、データ信号１５ａＤＴ，１５ｂＤＴ，１５ｃＤＴと、コントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢの格納を遅延させる回路を設けてもよい。
【００９１】
各ＦＩＦＯ装置１７ａ，１７ｂ，１７ｃは、データ信号１５ａＤＴ，１５ｂＤＴ，１５ｃＤＴとコントロール信号１５ａＣＮＴ，１５ｂＣＮＴ，１５ｃＣＮＴの格納を開始したときにこの格納の開始を示すデータエンプティ信号１７ａＥＦ，１７ｂＥＦ，１７ｃＥＦを読取信号生成装置１８に出力する。例えば、各データエンプティ信号１７ａＥＦ，１７ｂＥＦ，１７ｃＥＦは「１」を用いることができる。
【００９２】
読取信号生成装置１８は各ＦＩＦＯ装置１７ａ，１７ｂ，１７ｃの下流に設けられる。このＦＩＦＯ信号生成装置１８は、例えばＦＰＧＡ（Ｆｉｅｌｄ  Ｐｒｏｇｒａｍｍａｂｌｅ  Ｇａｔｅ  Ａｒｒａｙ）などのプログラム可能なＬＳＩを用いて構成され、次のような動作を行なう。
【００９３】
ＦＩＦＯ読取信号生成装置１８は、カウンタを「０」で初期化した後、受信したデータエンプティ信号１７ａＥＦ，１７ｂＥＦ，１７ｃＥＦを順次加算してゆく。カウンタの値が「３」になったとき、すなわち全てのＦＩＦＯ装置１７ａ，１７ｂ，１７ｃが各信号の格納を開始した場合、ＦＩＦＯ読取信号生成装置１８は各ＦＩＦＯ装置１７ａ，１７ｂ，１７ｃに、同期したＦＩＦＯリード信号１８Ｒを送信する。
【００９４】
各ＦＩＦＯ装置１７ａ，１７ｂ，１７ｃは、ＦＩＦＯ読取信号生成装置１８からＦＩＦＯリード信号１８Ｒを受信すると、格納していたデータ信号１５ａＤＴ，１５ｂＤＴ，１５ｃＤＴと、コントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢを出力する。
【００９５】
ＦＩＦＯリード信号１８Ｒが同期しているため、各ＦＩＦＯ装置１７ａ，１７ｂ，１７ｃからは同期した、すなわち各信号の時間的なずれが補正された信号が出力される。
【００９６】
＜タイミングチャートによる説明＞
以上説明した本実施形態のディジタル信号受信装置１におけるディジタル信号の時間的なずれの補正のタイミングチャートは、図４のＣｈ１ＦＩＦＯエンプティフラグ１７ａＥＦをＣｈ１ＦＩＦＯエンプティ信号１７ａＥＦと、Ｃｈ１ＦＩＦＯエンプティフラグ１７ｂＥＦをＣｈ１ＦＩＦＯエンプティ信号１７ｂＥＦと、Ｃｈ１ＦＩＦＯエンプティフラグ１７ｃＥＦをＣｈ１ＦＩＦＯエンプティ信号１７ｃＥＦと読み替えれば実施形態２におけるタイミングチャートと同様となる。
【００９７】
＜本実施形態の効果＞
以上述べたように、本実施形態のディジタル信号受信装置１においては、各ＦＩＦＯ装置１７ａ，１７ｂ，１７ｃがデータ信号１５ａＤＴ，１５ｂＤＴ，１５ｃＤＴとコントロール信号１５ａＣＮＴ，１５ｂＣＮＴ，１５ｃＣＮＴの格納を開始したときに、この格納の開始を示すデータエンプティ信号をＦＩＦＯ読取信号生成部１８に出力するように構成した。このため、ＦＩＦＯ読取信号生成部１８の動作速度が速くなり、ディジタル信号受信装置１からの映像信号の出力開始が早まると言う効果がある。
【００９８】
＜第４の実施形態＞
以下、図５を用いて本実施形態のディジタル信号受信装置をディジタル映像信号の受信機器に応用した例を用いて説明する。
【００９９】
本実施形態のディジタル信号受信装置は、ＦＩＦＯライト信号生成部を有さず、デコーダから出力されたデータイネーブル信号をＦＩＦＯ装置とＦＩＦＯ読取信号生成部に入力し、ＦＩＦＯ読取信号生成部は入力したデータイネーブル信号のデータ信号の開始位置を、時間的なずれを補正する全てのチャンネルについて検出したとき、時間的なずれを補正する全てのチャンネルのＦＩＦＯ装置に同期したＦＩＦＯリード信号を送信することを特徴とする。
【０１００】
＜受信装置の配置例＞
本実施形態のディジタル信号受信装置の配置例は、第１の実施形態と同様である。
【０１０１】
＜ディジタル信号受信装置の構成＞
本実施形態のディジタル信号受信装置１の構成を説明する。
【０１０２】
＜チャンネルからデコーダまでの構成＞
本実施形態のディジタル信号受信装置１のチャンネルからデコーダまでの構成は第１の実施形態と同様である。
【０１０３】
＜ＦＩＦＯ装置周辺の構成＞
＜ＦＩＦＯ装置の構成＞
本実施形態のディジタル信号受信装置１のＦＩＦＯ装置の構成は第１の実施形態と同様である。
【０１０４】
＜ＦＩＦＯ装置におけるスキューの補正＞
データ信号１５ａＤＴ，１５ｂＤＴ，１５ｃＤＴと、コントロール信号１５ａＣＮＴ，１５ｂＣＮＴ，１５ｃＣＮＴと、データイネーブル信号１５ａＥＮＢ，１５ｂＥＮＢ，１５ｃＥＮＢは、各デコーダ１５ａ，１５ｂ，１５ｃからそれぞれＦＩＦＯ装置１７ａ，１７ｂ，１７ｃ、及びＦＩＦＯ読取信号生成装置１８に出力される。
【０１０５】
各ＦＩＦＯ装置１７ａ，１７ｂ，１７ｃは、データイネーブル信号１５ａＥＮＢ，１５ｂＥＮＢ，１５ｃＥＮＢのデータ信号１５ａＤＴ，１５ｂＤＴ，１５ｃＤＴの開始位置を検知したときデータ信号１５ａＤＴ，１５ｂＤＴ，１５ｃＤＴとコントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢの格納を開始する。
【０１０６】
上述のように、例えばＴＭＤＳにおいては信号の時間的ずれ（スキュー）の許容範囲が０．４ピクセル以下と定められているため、この値からかけ離れてスキューが生じることはない。従って、最も遅延したチャンネルのデータイネーブル信号のデータ信号の開始位置が、最先のチャンネルのデータイネーブル信号の次のデータ信号の開始位置まで遅れることはない。このため、データイネーブル信号１５ａＥＮＢ，１５ｂＥＮＢ，１５ｃＥＮＢのデータ信号１５ａＤＴ，１５ｂＤＴ，１５ｃＤＴの開始位置を検知して格納するように構成しても、スキューを補正することができる。
【０１０７】
ここで、各ＦＩＦＯ装置１７ａ，１７ｂ，１７ｃに各データイネーブル信号１５ａＥＮＢ，１５ｂＥＮＢ，１５ｃＥＮＢが到達してから格納を開始するまで、データ信号１５ａＤＴ，１５ｂＤＴ，１５ｃＤＴと、コントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢの格納を遅延させる回路を設けてもよい。
【０１０８】
読取信号生成装置１８は各ＦＩＦＯ装置１７ａ，１７ｂ，１７ｃの下流に設けられる。このＦＩＦＯ信号生成装置１８は、例えばＦＰＧＡ（Ｆｉｅｌｄ  Ｐｒｏｇｒａｍｍａｂｌｅ  Ｇａｔｅ  Ａｒｒａｙ）などのプログラム可能なＬＳＩを用いて構成され、次のような動作を行なう。
【０１０９】
ＦＩＦＯ読取信号生成装置１８は、データイネーブル信号１５ａＥＮＢ，１５ｂＥＮＢ，１５ｃＥＮＢの前記データ信号１５ａＤＴ，１５ｂＤＴ，１５ｃＤＴの開始位置を、全てのチャンネルについて検出したとき、ＦＩＦＯ装置１７ａ，１７ｂ，１７ｃに同期したＦＩＦＯリード信号１８Ｒを送信する。
【０１１０】
各ＦＩＦＯ装置１７ａ，１７ｂ，１７ｃは、ＦＩＦＯ読取信号生成装置１８からＦＩＦＯリード信号１８Ｒを受信すると、格納していたデータ信号１５ａＤＴ，１５ｂＤＴ，１５ｃＤＴと、コントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢを出力する。
【０１１１】
ＦＩＦＯリード信号１８Ｒが同期しているため、各ＦＩＦＯ装置１７ａ，１７ｂ，１７ｃからは同期した、すなわち各信号の時間的なずれが補正された信号が出力される。
【０１１２】
＜タイミングチャートによる説明＞
以上説明した本実施形態のディジタル信号受信装置１におけるディジタル信号の時間的なずれの補正を、タイミングチャートにより説明する。
【０１１３】
図６は、本実施形態の各デコーダ１５ａ，１５ｂ，１５ｃより下流の信号の状態を模式的に表した図である。説明のため、データ信号とコントロール信号を並べて記載する。
【０１１４】
×１クロック１１ａに同期して、各チャンネル（Ｃｈ１，Ｃｈ２，Ｃｈ３）に対応したデコーダ１５ａ，１５ｂ，１５ｃからデータ信号とコントロール信号（映像データコントロール信号、１５ａＤＴ，１５ａＣＮＴ、１５ｂＤＴ，１５ｂＣＮＴ、１５ｃＤＴ，１５ｃＣＮＴ）が出力される。図６において、ＳＹＮＣは、例えばＨ−Ｓｙｎｃ、Ｖ−Ｓｙｎｃなどのコントロール信号を、Ｄ０〜Ｄｎはデータ信号を示す。
【０１１５】
各デコーダ１５ａ，１５ｂ，１５ｃからは、データイネーブル信号１５ａＥＮＢ，１５ｂＥＮＢ，１５ｃＥＮＢも出力される。このデータイネーブル信号１５ａＥＮＢ，１５ｂＥＮＢ，１５ｃＥＮＢは、それぞれデータ信号１５ａＤＴ，１５ｂＤＴ，１５ｃＤＴの開始位置に同期して立ち上がり、終了位置に同期して立ち下がる。
【０１１６】
図６に示したように、例えば各デコーダ１５ａ，１５ｂ，１５ｃから出力されたデータ信号の開始位置Ｄ０は、Ｃｈ１からＣｈ３の順でそれぞれ１ピクセルずつ時間的にずれている。
【０１１７】
各ＦＩＦＯ装置１７ａ，１７ｂ，１７ｃは、データイネーブル信号１５ａＥＮＢ，１５ｂＥＮＢ，１５ｃＥＮＢのデータ信号１５ａＤＴ，１５ｂＤＴ，１５ｃＤＴの開始位置を検知したときデータ信号１５ａＤＴ，１５ｂＤＴ，１５ｃＤＴとコントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢの格納を開始する。
【０１１８】
ＦＩＦＯ読取信号生成装置１８は、データイネーブル信号１５ａＥＮＢ，１５ｂＥＮＢ，１５ｃＥＮＢの前記データ信号１５ａＤＴ，１５ｂＤＴ，１５ｃＤＴの開始位置を、全てのチャンネルについて検出したとき、×１クロック１１ａに同期させてＦＩＦＯリード信号１８Ｒを各ＦＩＦＯ装置１７ａ，１７ｂ，１７ｃに出力する。
【０１１９】
各ＦＩＦＯ装置１７ａ，１７ｂ，１７ｃは、ＦＩＦＯ読取信号生成装置１８からＦＩＦＯリード信号１８Ｒを受信すると、格納していたデータ信号１５ａＤＴ，１５ｂＤＴ，１５ｃＤＴと、コントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢを出力する。
【０１２０】
図６の最下段の３列に示すように、ＦＩＦＯリード信号１８Ｒが同期しているため、各ＦＩＦＯ装置１７ａ，１７ｂ，１７ｃからは同期した信号が出力される。
【０１２１】
＜本実施形態の効果＞
以上述べたように、本実施形態のディジタル信号受信装置１においては、デコーダ１５ａ，１５ｂ，１５ｃから出力されたデータイネーブル信号１５ａＥＮＢ，１５ｂＥＮＢ，１５ｃＥＮＢをＦＩＦＯ装置１７ａ，１７ｂ，１７ｃとＦＩＦＯ読取信号生成部１８に入力し、ＦＩＦＯ読取信号生成部１８は入力したデータイネーブル信号１５ａＥＮＢ，１５ｂＥＮＢ，１５ｃＥＮＢのデータ信号１５ａＤＴ，１５ｂＤＴ，１５ｃＤＴの開始位置を、時間的なずれを補正する全てのチャンネルについて検出したとき、時間的なずれを補正する全てのチャンネルのＦＩＦＯ装置、この場合ＦＩＦＯ装置１７ａ，１７ｂ，１７ｃに、同期したＦＩＦＯリード信号１８Ｒを送信するように構成した。このため、ＦＩＦＯ読取信号生成部１８の動作速度がさらに速くなり、ディジタル信号受信装置１からの映像信号の出力開始がさらに早まると言う効果がある。
【０１２２】
＜第５の実施形態＞
以下、図７を用いて本実施形態のディジタル信号受信装置をディジタル映像信号の受信機器に応用した例を用いて説明する。
【０１２３】
本実施形態のディジタル信号受信装置は、ＦＩＦＯライト信号生成部、及びＦＩＦＯ読取信号生成部を有さず、デコーダから出力されたデータイネーブル信号を各ＦＩＦＯ装置入力し、各ＦＩＦＯ装置は入力したデータイネーブル信号のデータ信号の開始位置を検出したとき、格納を開始し、この格納を開始したとき時間的なずれを補正する他の全てのチャンネルのＦＩＦＯ装置に格納を開始したことを示す信号を送信する。
【０１２４】
各ＦＩＦＯ装置は当該のＦＩＦＯ装置が格納を開始し、かつ、時間的なずれを補正する他の全てのチャンネルのＦＩＦＯ装置から格納を開始したことを示す信号を受信したとき、格納したデータ信号と前記コントロール信号とを先入れ先出しにより出力することを特徴とする。
【０１２５】
＜受信装置の配置例＞
本実施形態のディジタル信号受信装置の配置例は、第１の実施形態と同様である。
【０１２６】
＜ディジタル信号受信装置の構成＞
本実施形態のディジタル信号受信装置１の構成を説明する。
【０１２７】
＜チャンネルからデコーダまでの構成＞
本実施形態のディジタル信号受信装置１のチャンネルからデコーダまでの構成は第１の実施形態と同様である。
【０１２８】
＜ＦＩＦＯ装置周辺の構成＞
＜ＦＩＦＯ装置の構成＞
本実施形態のディジタル信号受信装置１のＦＩＦＯ装置の構成は第１の実施形態と同様である。
【０１２９】
＜ＦＩＦＯ装置におけるスキューの補正＞
データ信号１５ａＤＴ，１５ｂＤＴ，１５ｃＤＴと、コントロール信号１５ａＣＮＴ，１５ｂＣＮＴ，１５ｃＣＮＴと、データイネーブル信号１５ａＥＮＢ，１５ｂＥＮＢ，１５ｃＥＮＢは、各デコーダ１５ａ，１５ｂ，１５ｃからそれぞれＦＩＦＯ装置１７ａ，１７ｂ，１７ｃに出力される。
【０１３０】
各ＦＩＦＯ装置１７ａ，１７ｂ，１７ｃは、データイネーブル信号１５ａＥＮＢ，１５ｂＥＮＢ，１５ｃＥＮＢのデータ信号１５ａＤＴ，１５ｂＤＴ，１５ｃＤＴの開始位置を検知したときデータ信号１５ａＤＴ，１５ｂＤＴ，１５ｃＤＴとコントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢの格納を開始する。
【０１３１】
上述のように、例えばＴＭＤＳにおいては信号の時間的ずれ（スキュー）の許容範囲が０．４ピクセル以下と定められているため、この値からかけ離れてスキューが生じることはない。従って、最も遅延したチャンネルのデータイネーブル信号のデータ信号の開始位置が、最先のチャンネルのデータイネーブル信号の次のデータ信号の開始位置まで遅れることはない。このため、データイネーブル信号１５ａＥＮＢ，１５ｂＥＮＢ，１５ｃＥＮＢのデータ信号１５ａＤＴ，１５ｂＤＴ，１５ｃＤＴの開始位置を検知して格納するように構成しても、スキューを補正することができる。
【０１３２】
ここで、各ＦＩＦＯ装置１７ａ，１７ｂ，１７ｃに各データイネーブル信号１５ａＥＮＢ，１５ｂＥＮＢ，１５ｃＥＮＢが到達してから格納を開始するまで、データ信号１５ａＤＴ，１５ｂＤＴ，１５ｃＤＴと、コントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢの格納を遅延させる回路を設けてもよい。
【０１３３】
各ＦＩＦＯ装置１７ａ，１７ｂ，１７ｃは、格納を開始したとき他のＦＩＦＯ装置に格納を開始したことを示す信号を送信する。送信する信号は、データイネーブル信号であってもよい。
【０１３４】
各ＦＩＦＯ装置１７ａ，１７ｂ，１７ｃは、自身が格納を開始し、かつ、他の全てのＦＩＦＯ装置から格納を開始したことを示す信号を受信したとき、格納したデータ信号とコントロール信号と、必要に応じてデータイネーブル信号を先入れ先出しにより出力する。
【０１３５】
全てのＦＩＦＯ装置１７ａ，１７ｂ，１７ｃが格納を開始するタイミングは一義的に定まるため、各ＦＩＦＯ装置１７ａ，１７ｂ，１７ｃからは同期した、すなわち各信号の時間的なずれが補正された信号が出力される。
【０１３６】
＜タイミングチャートによる説明＞
以上説明した本実施形態のディジタル信号受信装置１におけるディジタル信号の時間的なずれの補正を、タイミングチャートにより説明する。
【０１３７】
図８は、本実施形態の各デコーダ１５ａ，１５ｂ，１５ｃより下流の信号の状態を模式的に表した図である。説明のため、データ信号とコントロール信号を並べて記載する。
【０１３８】
×１クロック１１ａに同期して、各チャンネル（Ｃｈ１，Ｃｈ２，Ｃｈ３）に対応したデコーダ１５ａ，１５ｂ，１５ｃからデータ信号とコントロール信号（映像データコントロール信号、１５ａＤＴ，１５ａＣＮＴ、１５ｂＤＴ，１５ｂＣＮＴ、１５ｃＤＴ，１５ｃＣＮＴ）が出力される。図８において、ＳＹＮＣは、例えばＨ−Ｓｙｎｃ、Ｖ−Ｓｙｎｃなどのコントロール信号を、Ｄ０〜Ｄｎはデータ信号を示す。
【０１３９】
各デコーダ１５ａ，１５ｂ，１５ｃからは、データイネーブル信号１５ａＥＮＢ，１５ｂＥＮＢ，１５ｃＥＮＢも出力される。このデータイネーブル信号１５ａＥＮＢ，１５ｂＥＮＢ，１５ｃＥＮＢは、それぞれデータ信号１５ａＤＴ，１５ｂＤＴ，１５ｃＤＴの開始位置に同期して立ち上がり、終了位置に同期して立ち下がる。
【０１４０】
図８に示したように、例えば各デコーダ１５ａ，１５ｂ，１５ｃから出力されたデータ信号の開始位置Ｄ０は、Ｃｈ１からＣｈ３の順でそれぞれ１ピクセルずつ時間的にずれている。
【０１４１】
各ＦＩＦＯ装置１７ａ，１７ｂ，１７ｃは、データイネーブル信号１５ａＥＮＢ，１５ｂＥＮＢ，１５ｃＥＮＢのデータ信号１５ａＤＴ，１５ｂＤＴ，１５ｃＤＴの開始位置を検知したときデータ信号１５ａＤＴ，１５ｂＤＴ，１５ｃＤＴとコントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢの格納を開始する。
【０１４２】
各ＦＩＦＯ装置１７ａ，１７ｂ，１７ｃは、自身が格納を開始し、かつ、他の全てのＦＩＦＯ装置から格納を開始したことを示す信号を受信したとき、格納したデータ信号とコントロール信号と、必要に応じてデータイネーブル信号を先入れ先出しにより出力する。
【０１４３】
図８の最下段の３列に示すように、全てのＦＩＦＯ装置１７ａ，１７ｂ，１７ｃが格納を開始するタイミングは一義的に定まるため、各ＦＩＦＯ装置１７ａ，１７ｂ，１７ｃからは同期した信号が出力される。
【０１４４】
＜本実施形態の効果＞
以上述べたように、本実施形態のディジタル信号受信装置１においては、ＦＩＦＯライト信号生成部、及びＦＩＦＯ読取信号生成部を有さず、各ＦＩＦＯ装置１７ａ，１７ｂ，１７ｃが、全てのＦＩＦＯ装置の格納開始を検出して格納した信号を出力するように構成した。このため、ディジタル信号受信装置１をさらに安価に製造できると言う効果がある。
【０１４５】
＜第６の実施形態＞
以下、図９を用いて本実施形態のディジタル信号受信装置をディジタル映像信号の受信機器に応用した例を用いて説明する。
【０１４６】
本実施形態のディジタル信号受信装置は、ＦＩＦＯライト信号生成部、及びＦＩＦＯ読取信号生成部を有さず、各ＦＩＦＯ装置は時間的なずれを補正する他の全てのチャンネルのデコーダから出力されたデータイネーブル信号をも入力する。
【０１４７】
各ＦＩＦＯ装置は、当該チャンネルのデータイネーブル信号のデータ信号の開始位置を検出したときデータ信号と前記コントロール信号の格納を開始する。
【０１４８】
そして、各ＦＩＦＯ装置は、当該のチャンネルのＦＩＦＯ装置が当該のチャンネルのデータ信号とコントロール信号の格納を開始し、かつ、時間的なずれを補正する他の全てのチャンネルから受信したデータイネーブル信号の前記データ信号の開始位置を検知したとき、格納した前記データ信号と前記コントロール信号とを先入れ先出しにより出力することを特徴とする。
【０１４９】
＜受信装置の配置例＞
本実施形態のディジタル信号受信装置の配置例は、第１の実施形態と同様である。
【０１５０】
＜ディジタル信号受信装置の構成＞
本実施形態のディジタル信号受信装置１の構成を説明する。
【０１５１】
＜チャンネルからデコーダまでの構成＞
本実施形態のディジタル信号受信装置１のチャンネルからデコーダまでの構成は第１の実施形態と同様である。
【０１５２】
＜ＦＩＦＯ装置周辺の構成＞
＜ＦＩＦＯ装置の構成＞
本実施形態のディジタル信号受信装置１のＦＩＦＯ装置の構成は第１の実施形態と同様である。
【０１５３】
＜ＦＩＦＯ装置におけるスキューの補正＞
データ信号１５ａＤＴ，１５ｂＤＴ，１５ｃＤＴと、コントロール信号１５ａＣＮＴ，１５ｂＣＮＴ，１５ｃＣＮＴと、データイネーブル信号１５ａＥＮＢ，１５ｂＥＮＢ，１５ｃＥＮＢは、各デコーダ１５ａ，１５ｂ，１５ｃからそれぞれＦＩＦＯ装置１７ａ，１７ｂ，１７ｃに出力される。
【０１５４】
さらに、ＦＩＦＯ装置１７ａ，１７ｂ，１７ｃは各時間的なずれを補正する他の全てのチャンネルからそのチャンネルのデータイネーブル信号を受信する。例えば、ＦＩＦＯ装置１７ａはデコーダ１５ｂからデータイネーブル信号１５ｂＥＮＢを、デコーダ１５ｃからデータイネーブル信号１５ｃＥＮＢを、それぞれ受信する。
【０１５５】
各ＦＩＦＯ装置１７ａ，１７ｂ，１７ｃは、データイネーブル信号１５ａＥＮＢ，１５ｂＥＮＢ，１５ｃＥＮＢのデータ信号１５ａＤＴ，１５ｂＤＴ，１５ｃＤＴの開始位置を検知したときデータ信号１５ａＤＴ，１５ｂＤＴ，１５ｃＤＴとコントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢの格納を開始する。
【０１５６】
上述のように、例えばＴＭＤＳにおいては信号の時間的ずれ（スキュー）の許容範囲が０．４ピクセル以下と定められているため、この値からかけ離れてスキューが生じることはない。従って、最も遅延したチャンネルのデータイネーブル信号のデータ信号の開始位置が、最先のチャンネルのデータイネーブル信号の次のデータ信号の開始位置まで遅れることはない。このため、データイネーブル信号１５ａＥＮＢ，１５ｂＥＮＢ，１５ｃＥＮＢのデータ信号１５ａＤＴ，１５ｂＤＴ，１５ｃＤＴの開始位置を検知して格納するように構成しても、スキューを補正することができる。
【０１５７】
ここで、各ＦＩＦＯ装置１７ａ，１７ｂ，１７ｃに各データイネーブル信号１５ａＥＮＢ，１５ｂＥＮＢ，１５ｃＥＮＢが到達してから格納を開始するまで、データ信号１５ａＤＴ，１５ｂＤＴ，１５ｃＤＴと、コントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢの格納を遅延させる回路を設けてもよい。
【０１５８】
各ＦＩＦＯ装置１７ａ，１７ｂ，１７ｃは、自身が格納を開始し、かつ、時間的なずれを補正する他の全てのチャンネルのデコーダ１５ａ，１５ｂ，１５ｃから受信したデータイネーブル信号１５ａＥＮＢ，１５ｂＥＮＢ，１５ｃＥＮＢのデータ信号１５ａＤＴ，１５ｂＤＴ，１５ｃＤＴの開始位置を検知したとき、格納したデータ信号とコントロール信号と、必要に応じてデータイネーブル信号を先入れ先出しにより出力する。
【０１５９】
全てのＦＩＦＯ装置１７ａ，１７ｂ，１７ｃが格納を開始するタイミングは一義的に定まるため、各ＦＩＦＯ装置１７ａ，１７ｂ，１７ｃからは同期した、すなわち各信号の時間的なずれが補正された信号が出力される。
【０１６０】
＜タイミングチャートによる説明＞
以上説明した本実施形態のディジタル信号受信装置１におけるディジタル信号の時間的なずれの補正を、タイミングチャートにより説明する。タイミングチャートは図８と同様となるため、図８を用いて説明する。
【０１６１】
×１クロック１１ａに同期して、各チャンネル（Ｃｈ１，Ｃｈ２，Ｃｈ３）に対応したデコーダ１５ａ，１５ｂ，１５ｃからデータ信号とコントロール信号（映像データコントロール信号、１５ａＤＴ，１５ａＣＮＴ、１５ｂＤＴ，１５ｂＣＮＴ、１５ｃＤＴ，１５ｃＣＮＴ）が出力される。
【０１６２】
各デコーダ１５ａ，１５ｂ，１５ｃからは、データイネーブル信号１５ａＥＮＢ，１５ｂＥＮＢ，１５ｃＥＮＢも出力される。このデータイネーブル信号１５ａＥＮＢ，１５ｂＥＮＢ，１５ｃＥＮＢは、それぞれデータ信号１５ａＤＴ，１５ｂＤＴ，１５ｃＤＴの開始位置に同期して立ち上がり、終了位置に同期して立ち下がる。
【０１６３】
図８に示したように、例えば各デコーダ１５ａ，１５ｂ，１５ｃから出力されたデータ信号の開始位置Ｄ０は、Ｃｈ１からＣｈ３の順でそれぞれ１ピクセルずつ時間的にずれている。
【０１６４】
各ＦＩＦＯ装置１７ａ，１７ｂ，１７ｃは、データイネーブル信号１５ａＥＮＢ，１５ｂＥＮＢ，１５ｃＥＮＢのデータ信号１５ａＤＴ，１５ｂＤＴ，１５ｃＤＴの開始位置を検知したときデータ信号１５ａＤＴ，１５ｂＤＴ，１５ｃＤＴとコントロール信号１５ａＣＮＴ，１５ｂＣＮＴ，１５ｃＣＮＴと、必要に応じてデータイネーブル信号１５ａＥＮＢ，１５ｂＥＮＢ，１５ｃＥＮＢの格納を開始する。
【０１６５】
各ＦＩＦＯ装置１７ａ，１７ｂ，１７ｃは、自身が格納を開始し、かつ、時間的なずれを補正する他の全てのチャンネルのデコーダ１５ａ，１５ｂ，１５ｃから受信したデータイネーブル信号１５ａＥＮＢ，１５ｂＥＮＢ，１５ｃＥＮＢのデータ信号１５ａＤＴ，１５ｂＤＴ，１５ｃＤＴの開始位置を検知したとき、格納したデータ信号とコントロール信号と、必要に応じてデータイネーブル信号を先入れ先出しにより出力する。
【０１６６】
図８の最下段の３列に示すように、全てのＦＩＦＯ装置１７ａ，１７ｂ，１７ｃが格納を開始するタイミングは一義的に定まるため、各ＦＩＦＯ装置１７ａ，１７ｂ，１７ｃからは同期した信号が出力される。
【０１６７】
＜本実施形態の効果＞
以上述べたように、本実施形態のディジタル信号受信装置１においては、ＦＩＦＯライト信号生成部、及びＦＩＦＯ読取信号生成部を有さず、各ＦＩＦＯ装置１７ａ，１７ｂ，１７ｃが、時間的なずれを補正する他の全てのチャンネルのデコーダ１５ａ，１５ｂ，１５ｃから受信したデータイネーブル信号１５ａＥＮＢ，１５ｂＥＮＢ，１５ｃＥＮＢのデータ信号１５ａＤＴ，１５ｂＤＴ，１５ｃＤＴの開始位置を検知したとき、格納した信号を出力するように構成した。このため、ディジタル信号受信装置１をさらに安価に製造できると言う効果がある。
【０１６８】
＜本発明の具体化における可能性＞
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１６９】
【図１】第１の実施形態のディジタル信号受信装置の構成を模式的に表した図である。
【図２】第１の実施形態の各デコーダより下流の信号の状態を模式的に表したタイミングチャートである。
【図３】第２の実施形態のディジタル信号受信装置の構成を模式的に表した図である。
【図４】第２の実施形態の各デコーダより下流の信号の状態を模式的に表したタイミングチャートである。
【図５】第４の実施形態のディジタル信号受信装置の構成を模式的に表した図である。
【図６】第４の実施形態の各デコーダより下流の信号の状態を模式的に表したタイミングチャートである。
【図７】第５の実施形態のディジタル信号受信装置の構成を模式的に表した図である。
【図８】第５の実施形態の各デコーダより下流の信号の状態を模式的に表したタイミングチャートである。
【図９】第６の実施形態のディジタル信号受信装置の構成を模式的に表した図である。
【図１０】本実施形態のディジタル信号受信装置の配置例を示した図である。
【符号の説明】
【０１７０】
１１：ＰＬＬ、
１３ａ，１３ｂ，１３ｃ：シリアル／パラレル変換部、
１４ａ，１４ｂ，１４ｃ：アラインメント調整部、
１５ａ，１５ｂ，１５ｃ：デコーダ、
１６ａ，１６ｂ，１６ｃ：ＦＩＦＯライト信号生成部、
１７ａ，１７ｂ，１７ｃ：ＦＩＦＯ装置、
１８：ＦＩＦＯ読取信号生成装置。
【図１】
2008258762.tif 000003
【図２】
2008258762.tif 000004
【図３】
2008258762.tif 000005
【図４】
2008258762.tif 000006
【図５】
2008258762.tif 000007
【図６】
2008258762.tif 000008
【図７】
2008258762.tif 000009
【図８】
2008258762.tif 000010
【図９】
2008258762.tif 000011
【図１０】
2008258762.tif 000012